(57)【要約】【課題】メモリ付加によるコストアップを回避し、並びに走査電極及び信号電極の増加又はスイッチング素子の増加による開口率の低下を回避して、表示画像を９０度回転し得る表示装置及びその駆動方法を提供する。【解決手段】液晶表示装置１０は、マトリクス状に設けられた複数のゲートバスラインＡ１〜Ａ４及び複数のソースバスラインＢ１〜Ｂ４を有する。ゲートバスラインＡ１〜Ａ４及びソースバスラインＢ１〜Ｂ４の各交差点においてＴＦＴ８を介して設けられた画素に対して液晶層９にて表示を行う表示部１を備える。液晶層９に信号ｃ１〜ｃ４を供給する複数の対向バスラインＣ１〜Ｃ４が各ソースバスラインＢ１〜Ｂ４に平行かつ対に設けられている。【選択図】  図１
2005024979.tif 000002
【特許請求の範囲】
【請求項１】
マトリクス状に設けられた複数のゲートバスライン及び複数のソースバスラインを有し、上記ゲートバスライン及びソースバスラインの各交差点においてスイッチング素子を介して設けられた画素に対して液晶又は光学材料にて表示を行う表示部を備えた表示装置において、
上記液晶又は光学材料に対向信号を供給する複数の対向バスラインが各ソースバスラインに平行かつ対に設けられていることを特徴とする表示装置。
【請求項２】
前記複数のソースバスラインの一端には表示パネルの垂直方向に信号データを供給する垂直方向信号ドライバが設けられ、かつ上記複数のゲートバスラインの一端には表示パネルの垂直方向に走査信号を供給する水平方向走査ドライバが設けられているとともに、
上記複数のソースバスラインの他端には横表示を行うための走査信号を供給する横表示走査ドライバが設けられ、かつ上記複数のゲートバスラインの他端には横表示を行うためのデータ信号を供給する横表示信号ドライバが設けられていることを特徴とする請求項１記載の表示装置。
【請求項３】
前記垂直方向信号ドライバ及び水平方向走査ドライバから信号が出力されているときには、他の横表示走査ドライバ及び横表示信号ドライバの出力はハイインピーダンスとなっていることを特徴とする請求項１記載の表示装置。
【請求項４】
前記横表示走査ドライバ及び横表示信号ドライバから信号が出力されているときには、他の垂直方向信号ドライバ及び水平方向走査ドライバの出力はハイインピーダンスとなっていることを特徴とする請求項１記載の表示装置。
【請求項５】
前記出力がハイインピーダンスとなる横表示走査ドライバ及び横表示信号ドライバ、又は垂直方向信号ドライバ及び水平方向走査ドライバは、動作が停止していることを特徴とする請求項３又は４記載の表示装置
【請求項６】
前記スイッチング素子は、ｎ型のＭＯＳトランジスタからなる一方、
前記ゲートバスラインに印加される最大電位をＶＧＨとし、前記ソースバスラインに印加される最大電位をＶＳＨとし、対向バスラインに印加される最大電位をＶＣＨとしたとき、スイッチング素子を非アクティブとするために、
ＶＳＨ＞ＶＧＨ、かつ、ＶＣＨ＞ＶＧＨ
を満たすことを特徴とする請求項１記載の表示装置。
【請求項７】
前記垂直方向信号ドライバ、水平方向走査ドライバ、横表示走査ドライバ、横表示信号ドライバ及びコモンドライバは、表示部と一体に形成されていることを特徴とする請求項１〜６のいずれか１項に記載の表示装置。
【請求項８】
請求項２記載の表示装置にて縦表示又は横表示する表示装置の駆動方法であって、
横表示するときには、横表示信号ドライバ及び横表示走査ドライバを用いるとともに、上記横表示信号ドライバは、複数のゲートバスラインに対して、信号データを画像の階調に応じてパルス幅変調して出力することを特徴とする表示装置の駆動方法。
【請求項９】
前記横表示信号ドライバは、１水平ライン分のデータ信号を１水平期間にまとめて出力することを特徴とする請求項８記載の表示装置の駆動方法。
【請求項１０】
請求項２記載の表示装置にて縦表示又は横表示する表示装置の駆動方法であって、
横表示するときには、垂直方向信号ドライバ及び水平方向走査ドライバを用いるとともに、上記垂直方向信号ドライバは、１水平期間にわたる画素毎の信号データを順次サンプリングしながら各ソースバスラインに順次出力することを特徴とする表示装置の駆動方法。
【発明の詳細な説明】
【０００１】
【発明の属する技術分野】
本発明は、マトリクス状に設けられた複数のゲートバスライン及びソースバスラインの各交差点においてスイッチング素子を介して設けられた画素に対して液晶又は光学材料にて表示を行う表示部を備えた表示装置及びその駆動方法に関するものであり、詳細には、縦表示及び横表示し得る表示装置及びその駆動方法に関する。
【０００２】
【従来の技術】
アクティブマトリックス液晶表示装置は、様々なアプリケーションに用いられているとともに、それぞれのアプリケーションに応じた機能を付加することが求められ、その１つとして、表示画面を回転する機能が挙げられる。
【０００３】
液晶表示装置側で表示画面を回転させる方法としては、以下のものがある。
（１）一旦、映像信号の画像情報に対応する水平、垂直方向のデータを、フレームメモリを用いて記録し、その記録データ上で水平、垂直の変換を行って、表示装置への入力画像情報を回転させる方法。
（２）特許文献１に開示された、図１０に示すように、縦表示を行うべく１つの画素の液晶１０１に対して第１の画素スイッチ薄膜トランジスタ１０２を介して接続される第１の走査線１０３及び第１の信号線１０４と、横表示を行うべく上記１つの画素の液晶１０１に対して第２の画素スイッチ薄膜トランジスタ１１２を介して接続される第２の走査線１１３及び第２の信号線１１４との２組の走査用電極及びデータ用電極をそれぞれアクティブマトリクス液晶表示装置の縦方向、横方向に配置し、これら電極への印加信号を切り替えることにより表示画像を９０度回転させる方法。
（３）特許文献２に開示された、図１１に示すように、表示画素内の液晶セル２０１に対して第２のＭＯＳトランジスタ２０２及び第４のＭＯＳトランジスタ２０３を設け、それらの導通状態を切り替えることにより、行電極及び列電極に印加する信号を限定せずに、それらの信号として、走査信号又は表示信号を切り替えて印加し、それらの表示画像を９０度回転する方法。
【０００４】
【特許文献１】
特開平７−１７５４４４号公報（１９９５年７月１４日公開）
【０００５】
【特許文献２】
特開平１０−３１９９１５号公報（１９９８年１２月４日公開）
【０００６】
【発明が解決しようとする課題】
しかしながら、上記のような従来のアクティブマトリックス液晶表示装置及びその駆動方法においては、次に挙げる問題点がある。
【０００７】
まず、前記回転方法（１）は、フレームメモリが必要となり、コストアップにつながる。
【０００８】
また、前記回転方法（２）は、縦方向、横方向それぞれに走査用電極及びデータ用電極が配置されるため、開口率が低下する。
【０００９】
さらに、前記回転方法（３）は、画素内にＭＯＳトランジスタを４個以上必要とするため、開口率が低下する。
【００１０】
本発明は、上記従来の問題点に鑑みなされたものであって、その目的は、メモリ付加によるコストアップを回避し、並びに走査電極及び信号電極の増加又はスイッチング素子の増加による開口率の低下を回避して、表示画像を９０度回転し得る表示装置及びその駆動方法を提供することにある。
【００１１】
【課題を解決するための手段】
本発明の表示装置は、上記課題を解決するために、マトリクス状に設けられた複数のゲートバスライン及び複数のソースバスラインを有し、上記ゲートバスライン及びソースバスラインの各交差点においてスイッチング素子を介して設けられた画素に対して液晶又は光学材料にて表示を行う表示部を備えた表示装置において、上記液晶又は光学材料に対向信号を供給する複数の対向バスラインが各ソースバスラインに平行かつ対に設けられていることを特徴としている。
【００１２】
上記の発明によれば、液晶又は光学材料に対向信号を供給する複数の対向バスラインが各ソースバスラインに平行かつ対に設けられているので、ゲートバスラインに沿って順次データを表示するだけでなく、ソースバスラインに沿って順次データを表示することが可能である。
【００１３】
この結果、メモリ付加によるコストアップを回避し、並びに走査電極及び信号電極の増加又はスイッチング素子の増加による開口率の低下を回避して、表示画像を９０度回転し得る表示装置を提供することができる。
【００１４】
また、本発明の表示装置は、上記記載の表示装置において、前記複数のソースバスラインの一端には表示パネルの垂直方向に信号データを供給する垂直方向信号ドライバが設けられ、かつ上記複数のゲートバスラインの一端には表示パネルの垂直方向に走査信号を供給する水平方向走査ドライバが設けられているとともに、上記複数のソースバスラインの他端には横表示を行うための走査信号を供給する横表示走査ドライバが設けられ、かつ上記複数のゲートバスラインの他端には横表示を行うためのデータ信号を供給する横表示信号ドライバが設けられていることを特徴としている。
【００１５】
上記の発明によれば、２組の信号ドライバと走査ドライバとの組み合わせが設けられているとともに、各ソースバスライン及びゲートバスラインは共通に使用する。
【００１６】
したがって、確実に、メモリ付加によるコストアップを回避し、並びに走査電極及び信号電極の増加又はスイッチング素子の増加による開口率の低下を回避して、表示画像を９０度回転し得る表示装置を提供することができる。
【００１７】
また、本発明の表示装置は、上記記載の表示装置において、前記垂直方向信号ドライバ及び水平方向走査ドライバから信号が出力されているときには、他の横表示走査ドライバ及び横表示信号ドライバの出力はハイインピーダンスとなっていることを特徴としている。
【００１８】
上記の発明によれば、垂直方向信号ドライバ及び水平方向走査ドライバから信号が出力されているときには、他の横表示走査ドライバ及び横表示信号ドライバの出力はハイインピーダンスとなっているので、２組の信号ドライバと走査ドライバとの組み合わせの出力が互いにショートするのを防止することができる。
【００１９】
また、本発明の表示装置は、上記記載の表示装置において、前記横表示走査ドライバ及び横表示信号ドライバから信号が出力されているときには、他の垂直方向信号ドライバ及び水平方向走査ドライバの出力はハイインピーダンスとなっていることを特徴としている。
【００２０】
上記の発明によれば、前記横表示走査ドライバ及び横表示信号ドライバから信号が出力されているときには、他の垂直方向信号ドライバ及び水平方向走査ドライバの出力はハイインピーダンスとなっているので、２組の信号ドライバと走査ドライバとの組み合わせの出力が互いにショートするのを防止することができる。
【００２１】
また、本発明の表示装置は、上記記載の表示装置において、前記出力がハイインピーダンスとなる横表示走査ドライバ及び横表示信号ドライバ、又は垂直方向信号ドライバ及び水平方向走査ドライバは、動作が停止していることを特徴としている。
【００２２】
上記の発明によれば、出力がハイインピーダンスとなる横表示走査ドライバ及び横表示信号ドライバ、又は垂直方向信号ドライバ及び水平方向走査ドライバは、動作が停止している。このため、出力がハイインピーダンスとなるドライバの動作を停止することにより、消費電力の増加を抑えることが可能となる。
【００２３】
また、本発明の表示装置は、上記記載の表示装置において、前記スイッチング素子は、ｎ型のＭＯＳトランジスタからなる一方、前記ゲートバスラインに印加される最大電位をＶＧＨとし、前記ソースバスラインに印加される最大電位をＶＳＨとし、対向バスラインに印加される最大電位をＶＣＨとしたとき、スイッチング素子を非アクティブとするために、
ＶＳＨ＞ＶＧＨ、かつ、ＶＣＨ＞ＶＧＨ
を満たすことを特徴としている。
【００２４】
上記の発明によれば、スイッチング素子を非アクティブとするために、ＶＳＨ＞ＶＧＨ、かつ、ＶＣＨ＞ＶＧＨを満たすことにより、垂直方向信号ドライバ及び水平方向走査ドライバを用いてソースバスラインに沿って順次データを表示することが可能である。
【００２５】
また、本発明の表示装置は、上記記載の表示装置において、前記垂直方向信号ドライバ、水平方向走査ドライバ、横表示走査ドライバ、横表示信号ドライバ及びコモンドライバは、表示部と一体に形成されていることを特徴としている。
【００２６】
上記の発明によれば、垂直方向信号ドライバ、水平方向走査ドライバ、横表示走査ドライバ、横表示信号ドライバ及びコモンドライバは、表示部と一体に形成することにより、複数のドライバを実装することによるコストアップを軽減することが可能となる。
【００２７】
また、本発明の表示装置の駆動方法は、上記課題を解決するために、上記記載の表示装置にて縦表示又は横表示する表示装置の駆動方法であって、横表示するときには、横表示信号ドライバ及び横表示走査ドライバを用いるとともに、上記横表示信号ドライバは、複数のゲートバスラインに対して、信号データを画像の階調に応じてパルス幅変調して出力することを特徴としている。
【００２８】
上記の発明によれば、横表示するときには、横表示信号ドライバ及び横表示走査ドライバを用いる。そして、横表示信号ドライバは、複数のゲートバスラインに対して、信号データを画像の階調に応じてパルス幅変調して出力する。
【００２９】
このため、スイッチング素子におけるゲート端子にデータ信号を入力しても、画像の階調を示すように液晶又は光学材料に出力することができる。例えば、ゲート端子への印加時間が長いときには黒を表示し、ゲート端子への印加時間が０のときは白を表示し、その間の印加時間では中間調色を表示することができる。
【００３０】
したがって、ゲートバスラインにデータ信号を出力することができるので、９０度回転した表示が可能となる。
【００３１】
この結果、メモリ付加によるコストアップを回避し、並びに走査電極及び信号電極の増加又はスイッチング素子の増加による開口率の低下を回避して、表示画像を９０度回転し得る表示装置の駆動方法を提供することができる。
【００３２】
また、本発明の表示装置の駆動方法は、上記記載の表示装置の駆動方法において、前記横表示信号ドライバは、１水平ライン分のデータ信号を１水平期間にまとめて出力することを特徴としている。
【００３３】
上記の発明によれば、前記横表示信号ドライバは、１水平ライン分のデータ信号を１水平期間にまとめて出力する。これにより、横表示において、１水平ライン毎の表示を行うことができる。
【００３４】
また、本発明の表示装置の駆動方法は、上記課題を解決するために、上記記載の表示装置にて縦表示又は横表示する表示装置の駆動方法であって、横表示するときには、垂直方向信号ドライバ及び水平方向走査ドライバを用いるとともに、上記垂直方向信号ドライバは、１水平期間にわたる画素毎の信号データを順次サンプリングしながら各ソースバスラインに順次出力することを特徴としている。
【００３５】
上記の発明によれば、横表示するときには、垂直方向信号ドライバ及び水平方向走査ドライバを用いる。このとき、垂直方向信号ドライバは、１水平期間にわたる画素毎の信号データを順次サンプリングしながら各ソースバスラインに順次出力する。
【００３６】
これによって、順次サンプリングの場合には、従来から存在する垂直方向信号ドライバ及び水平方向走査ドライバを用いて、横表示することができる。
【００３７】
【発明の実施の形態】
〔実施の形態１〕
本発明の実施の一形態について図１ないし図７に基づいて説明すれば、以下の通りである。なお、本実施の形態では、表示装置としての液晶表示装置について説明するが、必ずしもこれに限らず、例えば、光学材料としてＥＬ（Ｅｌｅｃｔｒｏ  Ｌｕｍｉｎｅｓｃｅｎｃｅ）素子を用いた有機ＥＬディスプレイへの適用が可能である。
【００３８】
本実施の形態では、説明を容易にするために、図１に示すように、４×４マトリックスの表示部１をもつ液晶表示装置１０について説明する。したがって、実際のマトリックスは、より多数である。
【００３９】
上記液晶表示装置１０は、タイミング発生回路２と、垂直方向信号ドライバ３と、水平方向走査ドライバ４と、横表示信号ドライバ５と、横表示走査ドライバ６と、コモンドライバ７とを備えている。
【００４０】
上記垂直方向信号ドライバ３及び水平方向走査ドライバ４は、図２（ａ）に示すように、表示部１の上側及び右側に設けられており、縦表示つまり通常の表示をするときに使用されるものである。
【００４１】
一方、上記横表示信号ドライバ５及び横表示走査ドライバ６は、図２（ｂ）に示すように、表示部１の左側及び下側に設けられており、横表示つまり図２（ａ）に示す通常の状態を反時計回りに９０度回転した表示をするときに使用されるものである。
【００４２】
本実施の形態では、図１に示すように、上記表示部１の右側に設けられた水平方向走査ドライバ４からゲートバスラインＡ１〜Ａ４が水平方向に平行に出力されており、これら各ゲートバスラインＡ１〜Ａ４は、各画素に設けられたスイッチング素子である例えばｎ型のＭＯＳトランジスタであるＴＦＴ（Ｔｈｉｎ  Ｆｉｌｍ  Ｔｒａｎｓｉｓｔｏｒ：薄膜トランジスタ）８のゲートにそれぞれ接続されるとともに、末端においては表示部１の左側に設けられた上記横表示信号ドライバ５に入力されている。一方、表示部１の上側に設けられた垂直方向信号ドライバ３からはソースバスラインＢ１〜Ｂ４が垂直方向に平行に出力されており、これらソースバスラインＢ１〜Ｂ４は、上記ＴＦＴ８のソースにそれぞれ接続されるとともに、末端においては表示部１の下側に設けられた横表示走査ドライバ６に入力されている。
【００４３】
また、コモンドライバ７は、表示部１の下側に設けられており、このコモンドライバ７からは対向電極Ｃ１〜Ｃ４が上記ソースバスラインＢ１〜Ｂ４と平行となるように延びて各画素の液晶９にそれぞれ接続されている。
【００４４】
上記のように配設された液晶表示装置１０における各部材の機能について説明する。
【００４５】
まず、上記上記タイミング発生回路２は、垂直同期信号Ｖ、水平同期信号Ｈ、クロック信号ＣＬＫから、各ドライバ３〜７の制御信号１２〜１６を生成する。
【００４６】
上記の垂直方向信号ドライバ３は、縦表示時に信号ドライバとして機能するドライバであり、図示しない例えば外部機器からの映像信号１１と上記タイミング発生回路２からの制御信号１２とを受け、ソースバスラインＢ１〜Ｂ４を通じて各ＴＦＴ８…のデータ端子にデータ信号を印加する。また、上記水平方向走査ドライバ４は、縦表示時に走査ドライバとして機能するドライバであり、タイミング発生回路２からの制御信号１３を受け、ゲートバスラインＡ１〜Ａ４を通じてＴＦＴ８の制御端子に走査信号を印加する。
【００４７】
一方、上記横表示信号ドライバ５は、横表示時に信号ドライバとして機能するドライバであり、上記映像信号１１とタイミング発生回路２からの制御信号１４とを受け、ゲートバスラインＡ１〜Ａ４を通じて各ＴＦＴ８…の制御端子にデータ信号を印加する。また、横表示走査ドライバ６は、横表示時に走査ドライバとして機能するドライバであり、タイミング発生回路２からの制御信号１５を受け、ソースバスラインＢ１〜Ｂ４を通じて各ＴＦＴ８…のデータ端子に走査信号を印加する。
【００４８】
上記垂直方向信号ドライバ３及び横表示信号ドライバ５は、図３に示すように、ドライバ内部にラインメモリＭを備えることにより、１ライン分の信号データを１Ｈ（水平）期間にまとめて出力するようにすることが可能である。
【００４９】
ここで、縦表示として垂直方向信号ドライバ３及び水平方向走査ドライバ４が動作しているとき、横表示のための横表示信号ドライバ５及び横表示走査ドライバ６の出力はハイインピーダンスとなり、ドライバの動作は停止する。同様に、横表示として横表示信号ドライバ５及び横表示走査ドライバ６が動作しているとき、縦表示のための垂直方向信号ドライバ３及び水平方向走査ドライバ４の出力はハイインピーダンスとなり、ドライバの動作は停止するようになっている。
【００５０】
上記ハイインピーダンスにする方法としては、図４（ａ）（ｂ）に示すように、各垂直方向信号ドライバ３及び水平方向走査ドライバ４の出力部つまり出口側にスイッチが設けられており、このスイッチを制御信号にてオンオフすることにより行うことができる。
【００５１】
一方、上記コモンドライバ７は、図１に示すように、タイミング発生回路２からの制御信号１６を受け、対向バスラインＣ１〜Ｃ４を通じて液晶層９を保持する電極に、液晶層９に信号を書き込むための基準となるコモン信号を印加する。
【００５２】
上記液晶層９には、垂直方向信号ドライバ３及び横表示信号ドライバ５から出力されたデータ信号がコモンドライバ７から出力されたコモン信号を基準として書き込まれる。したがって、液晶層９は、電気信号の振幅又は実行電圧値の変化を、光学的に変換して階調表示を行う。
【００５３】
次に、本実施の形態の液晶表示装置１０の駆動方法について説明する。
【００５４】
外部からの映像信号１１が、例えば、図５（ａ）に示す４×４マトリックスの表示パターンであった場合に、縦表示した場合には、図５（ｂ）に示すように、表示部１にはそのままの表示パターンで表示される。そして、この表示パターンを、９０度回転して表示すると図５（ｃ）に示すようになる。なお、図５（ｂ）（ｃ）に示す丸付き番号はデータの位置を示すための便宜上のものである。
【００５５】
まず、通常の表示である図５（ｂ）の表示を実現するために、液晶表示装置１０は、図６（ａ）（ｂ）（ｃ）に示すタイミングチャートにて駆動される。ここで、信号ａ１〜ａ４は水平方向走査ドライバ４からゲートバスラインＡ１〜Ａ４に印加された走査信号を示し、信号ｂ１〜ｂ４は垂直方向信号ドライバ３からソースバスラインＢ１〜Ｂ４に印加されたデータ信号を示し、対向信号としての信号ｃ１〜ｃ４はコモンドライバ７から対向バスラインＣ１〜Ｃ４に印加されたコモン信号を示す。また、同図６（ｂ）に示す信号ｂ１〜ｂ４に付された丸付き番号は、図５（ｂ）における信号の位置を示す丸付き番号と一致している。
【００５６】
今の場合、横表示信号ドライバ５及び横表示走査ドライバ６は、出力をハイインピーダンスとすることにより、ゲートバスラインＡ１〜Ａ４、及びソースバスラインＢ１〜Ｂ４と切り離されている。このとき、横表示信号ドライバ５及び横表示走査ドライバ６は、動作を停止している。
【００５７】
また、この駆動方法では、垂直方向信号ドライバ３は、内部にラインメモリＭを備えており、１水平（Ｈ）ライン分のデータ信号ｂ１〜ｂ４を一旦メモリし、ソースバスラインＢ１〜Ｂ４にそれらのデータをまとめて印加するようにしている。
【００５８】
まず、水平方向走査ドライバ４は、映像を書き込む水平（Ｈ）ラインを選択する走査信号である信号ａ１〜ａ４を出力する。信号ａ１〜ａ４は、例えば、振幅がＶＧＨのときに水平ラインを選択し、振幅がＶＧＬのときは非選択となる。
【００５９】
また、垂直方向信号ドライバ３からのデータ信号である信号ｂ１〜ｂ４は、１水平（Ｈ）期間毎に基準電位ＶＲＥＦに対して極性の反転を行う。同図（ｂ）に示すＶＳＨ及びＶＳＬは正極性及び負極性の最大振幅であり、ノーマリホワイトモードの液晶を使用したとき表示は、この電圧印加時において黒となる。また、同図（ｂ）に示すＶＳＭ１及びＶＳＭ２は、基準電位と最大電位との中間電位を示している。この中間電位ＶＳＭ１・ＶＳＭ２を適切に設定することにより、階調表示を行うことが可能となる。
【００６０】
また、図６（ｃ）に示すように、上記コモンドライバ７からは、コモン信号である信号ｃ１〜ｃ４が液晶層９への書き込み基準信号として与えられている。この場合、信号ｃ１〜ｃ４は一定値である。
【００６１】
ここで、本実施の形態では、ゲートバスラインＡ１〜Ａ４、ソースバスラインＢ１〜Ｂ４及び対向バスラインＣ１〜Ｃ４に印加される電位をＶＧ、ＶＳ、ＶＣとし、液晶層９が保持する電位をＶＬＣとしたとき、
ＶＧ＞ＶＳ、かつＶＧ＞（ＶＣ＋ＶＬＣ）
のときＴＦＴ８が順バイアスでアクティブとなる一方、
ＶＧ＜ＶＳ、かつＶＧ＜（ＶＣ＋ＶＬＣ）
のときＴＦＴ８逆バイアスにて非アクティブとなるように、上記の電位は、
ＶＧＨ＞ＶＳＨ＞ＶＳＭ１＞ＶＲＥＦ＞ＶＳＭ２＞ＶＳＬ
という関係を満たしている。
【００６２】
次に、この状態から、表示パターンを９０度回転した図５（ｃ）に示す表示を実現するときの駆動動作を、図７（ａ）（ｂ）（ｃ）のタイミングチャートに基いて説明する。
【００６３】
同図（ａ）（ｂ）（ｃ）において、信号ａ１〜ａ４は横表示信号ドライバ５からゲートバスラインＡ１〜Ａ４に印加されたデータ信号を示し、信号ｂ１〜ｂ４は横表示走査ドライバ６からソースバスラインＢ１〜Ｂ４に印加された走査信号を示し、信号ｃ１〜ｃ４はコモンドライバ７から対向バスラインＣ１〜Ｃ４に印加されたコモン信号を示す。
【００６４】
横表示する場合には、垂直方向信号ドライバ３及び水平方向走査ドライバ４は動作を停止して出力をハイインピーダンスとすることにより、ゲートバスラインＡ１〜Ａ４及びソースバスラインＢ１〜Ｂ４と切り離されている。
【００６５】
上述のように、図７（ｂ）に示す信号ｂ１〜ｂ４は、映像を書き込む垂直ラインを選択する走査信号であり、１水平（Ｈ）期間毎に基準電位ＶＲＥＦに対して極性の反転を行う。
【００６６】
この信号ｂ１〜ｂ４では、振幅がＶＳＨ〜ＶＳＬのときに垂直ラインを選択し、ＶＳＯＦＦのときは非選択となる。
【００６７】
また、図７（ａ）に示す信号ａ１〜ａ４は、横表示するときのデータ信号を表している。また、同図（ａ）において信号ａ１〜ａ４に示す丸付き番号は、図５（ｃ）における信号の位置を示す丸付き番号と一致している。
【００６８】
この場合、ＴＦＴ８はＶＧＨの期間アクティブになり、パルス幅が長い方が液晶層に印加される電圧の振幅は大きくなり、パルス幅を適切に設定することにより、階調表示を行うことが可能となる。
【００６９】
図７（ｃ）に示す信号ｃ１〜ｃ４は、コモンドライバ７から対向バスラインＣ１〜Ｃ４に出力される液晶層９への書き込み基準信号である。これら信号ｃ１〜ｃ４は、ＴＦＴ８をアクティブにするとき、それらの電位はＶＲＥＦとし、非アクティブにするとき、それらの電位はＶＣＯＦＦとする。
【００７０】
この横表示においては、ゲートバスラインＡ１〜Ａ４、ソースバスラインＢ１〜Ｂ４、対向バスラインＣ１〜Ｃ４に印加される電位をＶＧ、ＶＳ、ＶＣとし、液晶層９が保持する電位をＶＬＣとしたとき、
ＶＧ＞ＶＳ、かつ、ＶＧ＞（ＶＣ＋ＶＬＣ）
のときＴＦＴ８が順バイアスでアクティブとなる一方、
ＶＧ＜ＶＳ、かつ、ＶＧ＜（ＶＣ＋ＶＬＣ）
のときＴＦＴ８が逆バイアスで非アクティブとなるように、上記電位は、
ＶＳＯＦＦ＞ＶＧＨ、かつ、
ＶＳＯＦＦ＞ＶＧＨ＞ＶＳＨ＞ＶＲＥＦ＞ＶＳＬ＞ＶＧＬ
という関係を満たしている。
【００７１】
このように、本実施の形態の液晶表示装置１０では、液晶層９に信号ｃ１〜ｃ４を供給する複数の対向バスラインＣ１〜Ｃ４が各ソースバスラインＢ１〜Ｂ４に平行かつ対に設けられているので、ゲートバスラインＡ１〜Ａ４に沿って順次データを表示するだけでなく、ソースバスラインＢ１〜Ｂ４に沿って順次データを表示することが可能である。
【００７２】
この結果、メモリ付加によるコストアップを回避し、並びに走査電極及び信号電極の増加又はスイッチング素子の増加による開口率の低下を回避して、表示画像を９０度回転し得る液晶表示装置１０を提供することができる。
【００７３】
また、本実施の形態の液晶表示装置１０では、垂直方向信号ドライバ３と水平方向走査ドライバ４との組み合わせ、及び横表示信号ドライバ５と横表示走査ドライバ６との組み合わせの、２組の信号ドライバと走査ドライバとの組み合わせが設けられているとともに、各ソースバスラインＢ１〜Ｂ４及びゲートバスラインＡ１〜Ａ４は共通に使用する。
【００７４】
したがって、確実に、メモリ付加によるコストアップを回避し、並びに走査電極及び信号電極の増加又はスイッチング素子の増加による開口率の低下を回避して、表示画像を９０度回転し得る液晶表示装置１０を提供することができる。
【００７５】
また、本実施の形態の液晶表示装置１０では、垂直方向信号ドライバ３及び水平方向走査ドライバ４から信号が出力されているときには、他の横表示走査ドライバ６及び横表示信号ドライバ５の出力はハイインピーダンスとなっているので、２組の信号ドライバと走査ドライバとの組み合わせの出力が互いにショートするのを防止することができる。
【００７６】
また、本実施の形態の液晶表示装置１０では、横表示走査ドライバ６及び横表示信号ドライバ５から信号が出力されているときには、垂直方向信号ドライバ３及び水平方向走査ドライバ４の出力はハイインピーダンスとなっているので、２組の信号ドライバと走査ドライバとの組み合わせの出力が互いにショートするのを防止することができる。
【００７７】
また、本実施の形態の液晶表示装置１０では、出力がハイインピーダンスとなる横表示走査ドライバ６及び横表示信号ドライバ５、又は垂直方向信号ドライバ３及び水平方向走査ドライバ４は、動作が停止している。このため、出力がハイインピーダンスとなるドライバの動作を停止することにより、消費電力の増加を抑えることが可能となる。
【００７８】
また、本実施の形態の液晶表示装置１０では、垂直方向信号ドライバ３、水平方向走査ドライバ４、横表示走査ドライバ６、横表示信号ドライバ５及びコモンドライバ７を表示部１と一体に形成するつまりモノリシックに形成することが可能である。これにより、複数のドライバを実装することによるコストアップを軽減することが可能となる。
【００７９】
また、本実施の形態の液晶表示装置１０の駆動方法では、横表示するときには、横表示走査ドライバ６及び横表示信号ドライバ５を用いる。そして、横表示信号ドライバ５は、複数のゲートバスラインＡ１〜Ａ４に対して、信号データを画像の階調に応じてパルス幅変調して出力する。
【００８０】
このため、ＴＦＴ８におけるゲート端子にデータ信号を入力しても、画像の階調を示すように液晶又は光学材料に出力することができる。例えば、ゲート端子への印加時間が長いときには黒を表示し、ゲート端子への印加時間が０のときは白を表示し、その間の印加時間では中間調色を表示することができる。
【００８１】
したがって、通常とは異なり、ゲートバスラインＡ１〜Ａ４にデータ信号を出力することができるので、９０度回転した表示が可能となる。
【００８２】
この結果、メモリ付加によるコストアップを回避し、並びに走査電極及び信号電極の増加又はスイッチング素子の増加による開口率の低下を回避して、表示画像を９０度回転し得る液晶表示装置１０の駆動方法を提供することができる。
【００８３】
また、本実施の形態の液晶表示装置１０の駆動方法では、上記記載の表示装置の駆動方法において、前記横表示信号ドライバは、１水平ライン分のデータ信号を１水平期間にまとめて出力することを特徴としている。
【００８４】
上記の発明によれば、前記横表示信号ドライバは、１水平ライン分のデータ信号を１水平期間にまとめて出力する。これにより、横表示において、１水平ライン毎の表示を行うことができる。
【００８５】
〔実施の形態２〕
本発明の他の実施の形態について図８及び図９に基づいて説明すれば、以下の通りである。なお、本実施の形態で述べる以外の構成は、前記実施の形態１と同じである。したがって、説明の便宜上、前記の実施の形態１の図面に示した部材と同一の機能を有する部材については、同一の符号を付し、その説明を省略する。
【００８６】
前記実施の形態１の液晶表示装置１０の駆動方法では、横表示するときには、別途に設けた横表示信号ドライバ５及び横表示走査ドライバ６を用いるとともに、横表示信号ドライバ５は、内部にラインメモリＭを備えており、１水平（Ｈ）ライン分のデータ信号ｂ１〜ｂ４を一旦メモリし、ソースバスラインＢ１〜Ｂ４にそれらのデータをまとめて印加するようにしていた。
【００８７】
しかし、本実施の形態で説明する液晶表示装置１０の駆動方法では、縦表示を行うときに使用する垂直方向信号ドライバ３及び水平方向走査ドライバ４を用いるとともに、垂直方向信号ドライバ３には内部にラインメモリＭを備えておらず、点順次による駆動を行う点が、前記実施の形態１の駆動方法と異なっている。
【００８８】
本実施の形態の液晶表示装置１０において、通常の縦表示すなわち前記図５（ｂ）に示す表示を行うときの駆動方法について、図８（ａ）（ｂ）（ｃ）のタイミングチャートに基いて説明する。
【００８９】
まず、図８（ａ）（ｂ）（ｃ）において、信号ａ１〜ａ４は水平方向走査ドライバ４からゲートバスラインＡ１〜Ａ４に印加された走査信号を示し、信号ｂ１〜ｂ４は垂直方向信号ドライバ３からソースバスラインＢ１〜Ｂ４に印加されたデータ信号を示し、信号ｃ１〜ｃ４はコモンドライバ７から対向バスラインＣ１〜Ｃ４に印加されたコモン信号を示す。また、同図８（ｂ）に示す信号ｂ１〜ｂ４に付された丸付き番号は、前記図５（ｂ）における信号の位置を示す丸付き番号と一致している。
【００９０】
今の場合、横表示信号ドライバ５及び横表示走査ドライバ６は、動作を停止し、出力をハイインピーダンスとすることにより、ゲートバスラインＡ１〜Ａ４、及びソースバスラインＢ１〜Ｂ４と切り離されている。
【００９１】
また、この駆動方法では、垂直方向信号ドライバ３は、内部にラインメモリＭを備えておらず、映像信号１１を順次サンプリングしながら、ソースバスラインＢ１〜Ｂ４にサンプリングした信号ｂ１〜ｂ４を印加する。つまり、点順次サンプリングとなっている。
【００９２】
まず、水平方向走査ドライバ４は、映像を書き込む水平（Ｈ）ラインを選択する走査信号である信号ａ１〜ａ４を出力する。信号ａ１〜ａ４は、例えば、振幅がＶＧＨのときに水平ラインを選択し、振幅がＶＧＬのときは非選択となる。
【００９３】
図８（ｂ）に示す信号ｂ１〜ｂ４は垂直方向のデータを表しており、１水平期間（１Ｈ）毎に基準電位ＶＲＥＦに対して極性の反転を行う。また、ＶＳＨ及びＶＳＬは正極性、負極性の最大振幅を示す最大電位であり、ノーマリホワイトモードの液晶を使用したとき表示は黒となる。さらに、ＶＳＭ１及びＶＳＭ２は、基準電位ＶＲＥＦと最大電位ＶＳＨ・ＶＳＬとの中間電位を示している。
【００９４】
上記ＶＳＭ１及びＶＳＭ２を適切に設定することにより、階調表示を行うことが可能となる。
【００９５】
一方、図８（ｃ）に示す信号ｃ１〜ｃ４は、液晶層９への書き込み基準信号であり、一定値の基準電位ＶＲＥＦとなっている。
【００９６】
本実施の形態では、ゲートバスラインＡ１〜Ａ４、ソースバスラインＢ１〜Ｂ４、及び対向バスラインＣ１〜Ｃ４に印加される電位をＶＧ、ＶＳ、ＶＣとし、液晶層９が保持する電位をＶＬＣとしたとき、
ＶＧ＞ＶＳ、かつ、ＶＧ＞（ＶＣ＋ＶＬＣ）
のときＴＦＴ８が順バイアスでアクティブとなる一方、
ＶＧ＜ＶＳ、かつ、ＶＧ＜（ＶＣ＋ＶＬＣ）
のときＴＦＴ８が逆バイアスで非アクティブとなるように、上記の電位は、
ＶＧＨ＞ＶＳＨ＞ＶＳＭ１＞ＶＲＥＦ＞ＶＳＭ２＞ＶＳＬ
という関係を満たしている。
【００９７】
次に、この状態から、表示パターンを９０度回転した図５（ｃ）に示す表示を実現するときの駆動動作を、図９（ａ）（ｂ）（ｃ）のタイミングチャートに基いて説明する。
【００９８】
同図（ａ）（ｂ）（ｃ）において、信号ａ１〜ａ４は水平方向走査ドライバ４からゲートバスラインＡ１〜Ａ４に印加された走査信号を示し、信号ｂ１〜ｂ４は垂直方向信号ドライバ３からソースバスラインＢ１〜Ｂ４に印加されたデータ信号を示し、信号ｃ１〜ｃ４はコモンドライバ７から対向バスラインＣ１〜Ｃ４に印加されたコモン信号を示す。
【００９９】
本実施の形態において横表示する場合には、前記横表示信号ドライバ５及び横表示走査ドライバ６は動作を停止して出力をハイインピーダンスとすることにより、ゲートバスラインＡ１〜Ａ４及びソースバスラインＢ１〜Ｂ４と切り離されている。
【０１００】
本実施の形態では、垂直方向信号ドライバ３は内部にラインメモリＭを備えず、データ信号を順次サンプリングしながらソースバスラインＢ１〜Ｂ４にサンプリングしたデータ信号を印加する。
【０１０１】
図９（ａ）に示す信号ａ１〜ａ４は、映像を書き込む水平ラインを選択する走査信号であり、振幅がＶＧＨのときに水平ラインを選択し、振幅がＶＧＬのとき非選択となる。
【０１０２】
図９（ｂ）に示す信号ｂ１〜ｂ４は、垂直方向のデータを表しており、１水平期間毎に基準電位ＶＲＥＦに対し極性の反転を行う。同図（ｂ）において、ＶＳＨ及びＶＳＬは正極性及び負極性の最大振幅を示す最大電位であり、ノーマリホワイトモードの液晶を使用したとき表示は黒となる。
【０１０３】
また、ＶＳＭ１及びＶＳＭ２には、基準電位ＶＲＥＦと最大電位ＶＳＨ・ＶＳＬの中間電位を示している。このＶＳＭ１及びＶＳＭ２を適切に設定することにより、階調表示を行うことが可能となる。さらに、同図（ｂ）において、信号ｂ１〜ｂ４に示す丸付き番号は、図５（ｃ）における信号の位置を示す丸付き番号と一致している。
【０１０４】
一方、図９（ｃ）に示す信号ｃ１〜ｃ４は、液晶層９への書き込み基準信号である。この信号ｃ１〜ｃ４は、ＴＦＴ８をアクティブにするとき、それらの電位はＶＲＥＦとし、非アクティブにするとき、それらの電位はＶＣＨとする。
【０１０５】
本実施の形態の駆動方法では、ゲートバスラインＡ１〜Ａ４、ソースバスラインＢ１〜Ｂ４及び対向バスラインＣ１〜Ｃ４に印加される電位をＶＧ、ＶＳ、ＶＣとし、液晶層９が保持する電位をＶＬＣとしたとき、
ＶＧ＞ＶＳ、かつ、ＶＧ＞（ＶＣ＋ＶＬＣ）
のときＴＦＴ８が順バイアスでアクティブとなり、
ＶＧ＜ＶＳ、かつ、ＶＧ＜（ＶＣ＋ＶＬＣ）
のときＴＦＴ８が逆バイアスで非アクティブとなるように、図９（ａ）（ｂ）（ｃ）に記載の電位は、例えば、
ＶＧＨ＞ＶＳＨ＞ＶＳＭ１＞ＶＲＥＦ＞ＶＳＭに＞ＶＳＬ＞ＶＧＬ、ＶＳＯＦＦＦ＞ＶＧＨ、ＶＧＨ＞（ＶＲＥＦ＋ＶＬＣ）、
ＶＧＨ＜（ＶＳＯＦＦ−ＶＬＣ）、ＶＧＬ＜（ＶＲＥＦ−ＶＬＣ）
の関係を満たしている。
【０１０６】
このように、本実施の形態の液晶表示装置１０では、スイッチング素子は、ｎ型のＭＯＳトランジスタであるＴＦＴ８からなる。また、ＴＦＴ８を非アクティブとするために、ＶＳＨ＞ＶＧＨ、かつ、ＶＣＨ＞ＶＧＨを満たすことにより、垂直方向信号ドライバ３及び水平方向走査ドライバ４を用いてソースバスラインＢ１〜Ｂ４に沿って順次データを表示することが可能である。
【０１０７】
また、本実施の形態の液晶表示装置１０の駆動方法では横表示するときには、垂直方向信号ドライバ３及び水平方向走査ドライバ４を用いる。このとき、垂直方向信号ドライバ３は、１水平期間にわたる画素毎の信号データを順次サンプリングしながら各ソースバスラインＢ１〜Ｂ４に順次出力する。
【０１０８】
これによって、順次サンプリングの場合には、従来から存在する垂直方向信号ドライバ３及び水平方向走査ドライバ４を用いて、横表示することができる。
【０１０９】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１０】
【発明の効果】
本発明の表示装置は、以上のように、液晶又は光学材料に対向信号を供給する複数の対向バスラインが各ソースバスラインに平行かつ対に設けられているものである。
【０１１１】
それゆえ、ゲートバスラインに沿って順次データを表示するだけでなく、ソースバスラインに沿って順次データを表示することが可能である。
【０１１２】
この結果、メモリ付加によるコストアップを回避し、並びに走査電極及び信号電極の増加又はスイッチング素子の増加による開口率の低下を回避して、表示画像を９０度回転し得る表示装置を提供することができるという効果を奏する。
【０１１３】
また、本発明の表示装置は、上記記載の表示装置において、前記複数のソースバスラインの一端には表示パネルの垂直方向に信号データを供給する垂直方向信号ドライバが設けられ、かつ上記複数のゲートバスラインの一端には表示パネルの垂直方向に走査信号を供給する水平方向走査ドライバが設けられているとともに、上記複数のソースバスラインの他端には横表示を行うための走査信号を供給する横表示走査ドライバが設けられ、かつ上記複数のゲートバスラインの他端には横表示を行うためのデータ信号を供給する横表示信号ドライバが設けられているものである。
【０１１４】
それゆえ、２組の信号ドライバと走査ドライバとの組み合わせが設けられているとともに、各ソースバスライン及びゲートバスラインは共通に使用する。
【０１１５】
したがって、確実に、メモリ付加によるコストアップを回避し、並びに走査電極及び信号電極の増加又はスイッチング素子の増加による開口率の低下を回避して、表示画像を９０度回転し得る表示装置を提供することができるという効果を奏する。
【０１１６】
また、本発明の表示装置は、上記記載の表示装置において、前記垂直方向信号ドライバ及び水平方向走査ドライバから信号が出力されているときには、他の横表示走査ドライバ及び横表示信号ドライバの出力はハイインピーダンスとなっているものである。
【０１１７】
それゆえ、２組の信号ドライバと走査ドライバとの組み合わせの出力が互いにショートするのを防止することができるという効果を奏する。
【０１１８】
また、本発明の表示装置は、上記記載の表示装置において、前記横表示走査ドライバ及び横表示信号ドライバから信号が出力されているときには、他の垂直方向信号ドライバ及び水平方向走査ドライバの出力はハイインピーダンスとなっているものである。
【０１１９】
それゆえ、２組の信号ドライバと走査ドライバとの組み合わせの出力が互いにショートするのを防止することができるという効果を奏する。
【０１２０】
また、本発明の表示装置は、上記記載の表示装置において、前記出力がハイインピーダンスとなる横表示走査ドライバ及び横表示信号ドライバ、又は垂直方向信号ドライバ及び水平方向走査ドライバは、動作が停止しているものである。
【０１２１】
それゆえ、出力がハイインピーダンスとなるドライバの動作を停止することにより、消費電力の増加を抑えることが可能となるという効果を奏する。
【０１２２】
また、本発明の表示装置は、上記記載の表示装置において、前記スイッチング素子は、ｎ型のＭＯＳトランジスタからなる一方、前記ゲートバスラインに印加される最大電位をＶＧＨとし、前記ソースバスラインに印加される最大電位をＶＳＨとし、対向バスラインに印加される最大電位をＶＣＨとしたとき、スイッチング素子を非アクティブとするために、
ＶＳＨ＞ＶＧＨ、かつ、ＶＣＨ＞ＶＧＨ
を満たす。
【０１２３】
それゆえ、スイッチング素子を非アクティブとするために、ＶＳＨ＞ＶＧＨ、かつ、ＶＣＨ＞ＶＧＨを満たすことにより、垂直方向信号ドライバ及び水平方向走査ドライバを用いてソースバスラインに沿って順次データを表示することが可能であるという効果を奏する。
【０１２４】
また、本発明の表示装置は、上記記載の表示装置において、前記垂直方向信号ドライバ、水平方向走査ドライバ、横表示走査ドライバ、横表示信号ドライバ及びコモンドライバは、表示部と一体に形成されているものである。
【０１２５】
それゆえ、複数のドライバを実装することによるコストアップを軽減することが可能となるという効果を奏する。
【０１２６】
また、本発明の表示装置の駆動方法は、以上のように、上記記載の表示装置にて縦表示又は横表示する表示装置の駆動方法であって、横表示するときには、横表示信号ドライバ及び横表示走査ドライバを用いるとともに、上記横表示信号ドライバは、複数のゲートバスラインに対して、信号データを画像の階調に応じてパルス幅変調して出力する方法である。
【０１２７】
それゆえ、スイッチング素子におけるゲート端子にデータ信号を入力しても、画像の階調を示すように液晶又は光学材料に出力することができる。例えば、ゲート端子への印加時間が長いときには黒を表示し、ゲート端子への印加時間が０のときは白を表示し、その間の印加時間では中間調色を表示することができる。
【０１２８】
したがって、ゲートバスラインにデータ信号を出力することができるので、９０度回転した表示が可能となる。
【０１２９】
この結果、メモリ付加によるコストアップを回避し、並びに走査電極及び信号電極の増加又はスイッチング素子の増加による開口率の低下を回避して、表示画像を９０度回転し得る表示装置の駆動方法を提供することができるという効果を奏する。
【０１３０】
また、本発明の表示装置の駆動方法は、上記記載の表示装置の駆動方法において、前記横表示信号ドライバは、１水平ライン分のデータ信号を１水平期間にまとめて出力する方法である。
【０１３１】
それゆえ、横表示において、１水平ライン毎の表示を行うことができるという効果を奏する。
【０１３２】
また、本発明の表示装置の駆動方法は、以上のように、上記記載の液晶表示装置にて縦表示又は横表示する液晶表示装置の駆動方法であって、横表示するときには、垂直方向信号ドライバ及び水平方向走査ドライバを用いるとともに、上記垂直方向信号ドライバは、１水平期間にわたる画素毎の信号データを順次サンプリングしながら各ソースバスラインに順次出力する方法である。
【０１３３】
それゆえ、順次サンプリングの場合には、従来から存在する垂直方向信号ドライバ及び水平方向走査ドライバを用いて、横表示することができるという効果を奏する。
【図面の簡単な説明】
【図１】本発明における液晶表示装置の実施の一形態を示す構造図である。
【図２】（ａ）は垂直方向信号ドライバ及び水平方向走査ドライバによる縦表示を示す図であり、（ｂ）は横表示信号ドライバ及び横表示走査ドライバによる横表示を示す図である。
【図３】上記水平方向走査ドライバ及び横表示信号ドライバの内部構造を示す概略図である。
【図４】（ａ）は水平方向走査ドライバ及び横表示信号ドライバをハイインピーダンスにした状態を示す図であり、（ｂ）は水平方向走査ドライバ及び横表示信号ドライバをノンハイインピーダンスにした状態を示す図である。
【図５】（ａ）は外部映像信号の表示状態を示す図であり、（ｂ）は外部映像信号を、そのまま表示部に表示したものを示す図であり、（ｃ）は外部映像信号を、９０度回転して表示部に表示したものを示す図である。なお、丸付き番号はデータの位置を示すための便宜上のものである。
【図６】（ａ）は図５（ｂ）の表示を垂直方向信号ドライバ及び水平方向走査ドライバにて実現するためのゲートバスラインのタイミングチャートであり、（ｂ）は同ソースバスラインのタイミングチャートであり、（ｃ）は同対向バスラインタイミングチャートである。
【図７】（ａ）は図５（ｃ）の表示を横表示信号ドライバ及び横表示走査ドライバにて実現するためのゲートバスラインのタイミングチャートであり、（ｂ）は同ソースバスラインのタイミングチャートであり、（ｃ）は同対向バスラインのタイミングチャートである。
【図８】（ａ）は図５（ｂ）の表示を垂直方向信号ドライバ及び水平方向走査ドライバにて実現するためのゲートバスラインのタイミングチャートであり、（ｂ）は同ソースバスラインのタイミングチャートであり、（ｃ）は同対向バスラインタイミングチャートである。
【図９】（ａ）は図５（ｃ）の表示を垂直方向信号ドライバ及び水平方向走査ドライバにて実現するためのゲートバスラインのタイミングチャートであり、（ｂ）は同ソースバスラインのタイミングチャートであり、（ｃ）は同対向バスラインタイミングチャートである。
【図１０】従来の縦表示と横表示が可能な液晶表示装置を示す画素の構成図である。
【図１１】従来の縦表示と横表示が可能な他の液晶表示装置を示す画素の構成図である。
【符号の説明】
１        表示部
３        垂直方向信号ドライバ
４        水平方向走査ドライバ
５        横表示信号ドライバ
６        横表示走査ドライバ
７        コモンドライバ
８        ＴＦＴ（スイッチング素子）
９        液晶層（液晶）
１１        映像信号
Ａ１〜Ａ４  ゲートバスライン
Ｂ１〜Ｂ４  ソースバスライン
Ｃ１〜Ｃ４  対向バスライン
ａ１〜ａ４  信号
ｂ１〜ｂ４  信号
ｃ１〜ｃ４  信号（対向信号）
Ｍ        ラインメモリ
【図１】
2005024979.tif 000003
【図２】
2005024979.tif 000004
【図３】
2005024979.tif 000005
【図４】
2005024979.tif 000006
【図５】
2005024979.tif 000007
【図６】
2005024979.tif 000008
【図７】
2005024979.tif 000009
【図８】
2005024979.tif 000010
【図９】
2005024979.tif 000011
【図１０】
2005024979.tif 000012
【図１１】
2005024979.tif 000013